(57)【特許請求の範囲】
【請求項１】
通信網を介して接続した相手ファクシミリ装置から受信した受信信号について、当該受信信号の信号種別をそれぞれ解析する信号解析部と、
前記信号解析部で解析した前記受信信号の信号種別が、ＩＴＵ−Ｔ勧告Ｖ．８のＪＭ信号またはＩＴＵ−Ｔ勧告Ｔ．３０のＤＩＳ／ＤＴＣ信号である場合、当該受信信号に含まれる、発呼側の受信要求または着信側の送信要求に関する要求パラメータを記憶部へ保存し、自ファクシミリ装置で送信動作または受信動作のいずれを実行するかを決定する際には、当該記憶部に最後に保存された前記要求パラメータに基づいて決定する通信制御部と
を備えることを特徴とするファクシミリ装置。
【請求項２】
請求項１に記載のファクシミリ装置において、
前記通信制御部は、前記信号解析部で解析した前記受信信号の信号種別がＩＴＵ−Ｔ勧告Ｖ．８のＪＭ信号である場合、当該ＪＭ信号に含まれる起呼機能カテゴリのパラメータを前記要求パラメータとして前記記憶部に保存することを特徴とするファクシミリ装置。
【請求項３】
請求項１または請求項２に記載のファクシミリ装置において、
前記通信制御部は、前記信号解析部で解析した前記受信信号の信号種別がＩＴＵ−Ｔ勧告Ｔ．３０のＤＩＳ／ＤＴＣ信号である場合、当該ＤＩＳ／ＤＴＣ信号に含まれる受信機ＦＡＸ操作のパラメータを前記要求パラメータとして前記記憶部へ保存することを特徴とするファクシミリ装置。
【請求項４】
信号解析部が、通信網を介して接続した相手ファクシミリ装置から受信した受信信号について、当該受信信号の信号種別をそれぞれ解析する信号解析ステップと、
通信制御部が、前記信号解析部で解析した前記受信信号の信号種別が、ＩＴＵ−Ｔ勧告Ｖ．８のＪＭ信号またはＩＴＵ−Ｔ勧告Ｔ．３０のＤＩＳ／ＤＴＣ信号である場合、当該受信信号に含まれる、発呼側の受信要求または着信側の送信要求に関する要求パラメータを記憶部へ保存し、自ファクシミリ装置で送信動作または受信動作のいずれを実行するかを決定する際には、当該記憶部に最後に保存された前記要求パラメータに基づいて決定する通信制御ステップと
を備えることを特徴とする通信制御方法。
【発明の詳細な説明】
【技術分野】
【０００１】
本発明は、ファクシミリ通信技術に関し、特にＩＴＵ−Ｔ勧告Ｖ．８に関するファクシミリ制御技術に関する。
【背景技術】
【０００２】
ＩＴＵ−Ｔ勧告Ｖ．３４では、通信開始直後に実行するフェーズ１の伝送手順として、ＩＴＵ−Ｔ勧告Ｖ．８を用いて、それ以降に使用する、モデム速度やデータ種類などの伝送機能をネゴシエーションすることが可能となっており、ファクシミリ装置においても、ＩＴＵ−Ｔ勧告Ｖ．３４が採用されつつある。
【０００３】
これまで、ＩＴＵ−Ｔ勧告のＶ．１７以下の通信において、発呼側の受信要求または着信側の送信要求に関する要求パラメータは、ＤＩＳ／ＤＴＣ信号の受信機ＦＡＸ操作のパラメータに設定するものとなっている。一方、ＩＴＵ−Ｔ勧告Ｖ．３４を使用するため、ＩＴＵ−Ｔ勧告Ｖ．８を使用する場合、ＩＴＵ−Ｔ勧告Ｖ．８の起呼機能カテゴリのパラメータには、ＤＩＳ／ＤＴＣ信号とは別に、発呼側の受信要求または着信側の送信要求に関する要求パラメータを設定できることになる。
【先行技術文献】
【特許文献】
【０００４】
【特許文献１】特開２００１−０５７６２９号公報
【発明の概要】
【発明が解決しようとする課題】
【０００５】
このように、発呼側の受信要求または着信側の送信要求に関する要求パラメータは、ＩＴＵ−Ｔ勧告Ｔ．３０のＤＩＳ／ＤＴＣ信号で通知される受信機ＦＡＸ操作のパラメータと、ＩＴＵ−Ｔ勧告Ｖ．８のＪＭ信号で通知される起呼機能カテゴリのパラメータとにおいて、それぞれ別個に設定できることになる。したがって、これら２つの設定内容が異なる場合が発生しうる。
【０００６】
しかしながら、ＩＴＵ−Ｔ勧告Ｖ．８では、起呼機能カテゴリにおいて、ＩＴＵ−Ｔ勧告Ｔ．３０のＤＩＳ／ＤＴＣ信号とは異なる要求を設定することについて、想定されていない。このため、これら２つの設定内容が一致しない場合、発呼側のファクシミリ装置は、応答側から、受信要求または着信側の送信要求に関する要求パラメータとして、矛盾した２つのパラメータを受けることになる。したがって、要求パラメータの内容が矛盾することに起因して、発呼側のファクシミリ装置が、回線を切断して通信異常が発生したり、矛盾した要求により例外動作を行う、というような異常動作が発生する可能性があった。
【０００７】
本発明はこのような課題を解決するためのものであり、ＩＴＵ−Ｔ勧告Ｖ．８のＪＭ信号、ＤＩＳ／ＤＴＣ信号と矛盾した要求パラメータが通知された場合でも、安定した動作を行うことができるファクシミリ制御技術を提供することを目的としている。
【課題を解決するための手段】
【０００８】
このような目的を達成するために、本発明にかかるファクシミリ装置は、通信網を介して接続した相手ファクシミリ装置から受信した受信信号について、当該受信信号の信号種別をそれぞれ解析する信号解析部と、前記信号解析部で解析した前記受信信号の信号種別が、ＩＴＵ−Ｔ勧告Ｖ．８のＪＭ信号またはＩＴＵ−Ｔ勧告Ｔ．３０のＤＩＳ／ＤＴＣ信号である場合、当該受信信号に含まれる、発呼側の受信要求または着信側の送信要求に関する要求パラメータを記憶部へ保存し、自ファクシミリ装置で送信動作または受信動作のいずれを実行するかを決定する際には、当該記憶部に最後に保存された前記要求パラメータに基づいて決定する通信制御部とを備えている。
【０００９】
また、本発明にかかる通信制御方法は、信号解析部が、通信網を介して接続した相手ファクシミリ装置から受信した受信信号について、当該受信信号の信号種別をそれぞれ解析する信号解析ステップと、通信制御部が、前記信号解析部で解析した前記受信信号の信号種別が、ＩＴＵ−Ｔ勧告Ｖ．８のＪＭ信号またはＩＴＵ−Ｔ勧告Ｔ．３０のＤＩＳ／ＤＴＣ信号である場合、当該受信信号に含まれる、発呼側の受信要求または着信側の送信要求に関する要求パラメータを記憶部へ保存し、自ファクシミリ装置で送信動作または受信動作のいずれを実行するかを決定する際には、当該記憶部に最後に保存された前記要求パラメータに基づいて決定する通信制御ステップとを備えている。
【発明の効果】
【００１０】
本発明によれば、ＪＭ信号およびＤＩＳ／ＤＴＣ信号で通知された、２つの発呼側の受信要求または着信側の送信要求に関する要求パラメータが、一致していない場合でも、これら２つの要求パラメータのうち、後から通知されて、記憶部に最後に保存された要求パラメータに基づいて、自ファクシミリ装置で送信動作または受信動作のいずれを実行するかが決定される。したがって、これら２つの要求パラメータの内容が矛盾することに起因して、発呼側のファクシミリ装置が、回線を切断して通信異常が発生したり、矛盾した要求により例外動作を行う、というような異常動作を回避することができ、安定した動作を実現することが可能となる。
【図面の簡単な説明】
【００１１】
【図１】ファクシミリ装置の構成を示すブロック図である。
【図２】ファクシミリ装置のパラメータ保存処理を示すフローチャートである。
【図３】相手ファクシミリ装置とのファクシミリ通信で送受信する信号を示す説明図である。
【発明を実施するための形態】
【００１２】
次に、本発明の一実施の形態について図面を参照して説明する。
［ファクシミリ装置の構成］
まず、図１を参照して、本実施の形態にかかるファクシミリ装置１０の構成について説明する。図１は、ファクシミリ装置の構成を示すブロック図である。
【００１３】
このファクシミリ装置１０は、ＰＳＴＮなどの通信網５０を介して接続された相手ファクシミリ装置３０との間で、ファクシミリ通信を行う機能を有している。図１では、ファクシミリ装置１０が回線２１および交換機２０を介して通信網５０と接続されている例が示されているが、通信網５０への接続形態については、これに限定されるものではなく、例えば、ファクシミリ装置１０が、直接、通信網５０に接続されていてもよい。
【００１４】
ファクシミリ装置１０には、主な処理部として、回線制御部１１、モデム１２、通信制御部１３、信号解析部１４、信号作成部１５、および記憶部１６が設けられている。
回線制御部１１は、専用の信号処理回路からなり、回線２１および交換機２０を介して通信網５０と接続し、相手ファクシミリ装置３０との間で、ファクシミリ通信で用いる各種信号を送受信する機能を有している。
モデム１２は、専用の信号処理回路からなり、回線制御部１１を介して相手ファクシミリ装置３０との間で送受信する信号やファクシミリデータの変調・復調を行う機能を有している。
【００１５】
通信制御部１３は、ＩＴＵ−Ｔ勧告などの規格で規定されている各種プロトコルに基づき、相手ファクシミリ装置３０とのファクシミリ通信を制御する機能を有している。
信号解析部１４は、通信制御部１３からの指示に応じて、相手ファクシミリ装置３０から受信してモデム１２で復調した受信信号ごとに、当該受信信号の信号種別および内容を解析する機能を有している。
【００１６】
信号作成部１５は、通信制御部１３からの指示に応じて、相手ファクシミリ装置３０へ送信する送信信号を作成する機能を有している。
記憶部１６は、半導体メモリなどの記憶装置からなり、通信制御部１３でのファクシミリ通信制御に用いる各種パラメータや、ファクシミリ装置１０内のＣＰＵで実行するプログラムを記憶する機能を有している。
【００１７】
これら処理部のうち、通信制御部１３、信号解析部１４、および信号作成部１５は、記憶部１６のプログラムを実行するＣＰＵで実現される。プログラムは、外部端末や記録媒体（ともに図示せず）から予め読み込まれて、記憶部１６に格納される。
【００１８】
本実施の形態は、このようなファクシミリ装置１０において、信号解析部１４で解析した、相手ファクシミリ装置３０からの受信信号が、ＩＴＵ−Ｔ勧告Ｖ．８のＪＭ信号またはＩＴＵ−Ｔ勧告Ｔ．３０のＤＩＳ／ＤＴＣ信号である場合、通信制御部１３が、これら信号に含まれる要求パラメータを記憶部１６へ保存し、この後、ファクシミリ装置１０で送信動作または受信動作のいずれを実行するかを決定する際には、記憶部１６に最後に保存された要求パラメータに基づいて決定するようにしたものである。
【００１９】
［本実施の形態の動作］
次に、図２を参照して、本実施の形態にかかるファクシミリ装置１０の処理動作について説明する。図２は、ファクシミリ装置のパラメータ保存処理を示すフローチャートである。
【００２０】
ファクシミリ装置１０の通信制御部１３は、相手ファクシミリ装置３０とのファクシミリ通信を開始する際、図２のパラメータ保存処理を実行する。
相手ファクシミリ装置３０から送信された信号は、通信網５０、交換機２０、および回線２１を介して回線制御部１１で受信される。この受信信号は、モデム１２で復調された後、通信制御部１３に出力される。
【００２１】
通信制御部１３は、モデム１２から受信信号を受け取るごとに、図２のパラメータ保存処理を実行する。
まず、通信制御部１３は、受け取った受信信号の信号種別を信号解析部１４で解析し（ステップ１００）、当該受信信号がＩＴＵ−Ｔ勧告Ｖ．８のＪＭ信号である場合には（ステップ１０１：ＹＥＳ）、当該ＪＭ信号に含まれる受信機ＦＡＸ操作のパラメータを、発呼側の受信要求または着信側の送信要求に関する要求パラメータとして記憶部１６へ保存して（ステップ１０３）、一連のパラメータ保存処理を終了する。
【００２２】
一方、当該受信信号がＪＭ信号ではなく（ステップ１０１：ＮＯ）、ＩＴＵ−Ｔ勧告Ｔ．３０のＤＩＳ／ＤＴＣ信号である場合（ステップ１０２：ＹＥＳ）、通信制御部１３は、当該ＤＩＳ／ＤＴＣ信号に含まれる受信機ＦＡＸ操作のパラメータを、発呼側の受信要求または着信側の送信要求に関する要求パラメータとして記憶部１６へ保存して（ステップ１０４）、一連のパラメータ保存処理を終了する。
また、当該受信信号がＤＩＳ／ＤＴＣ信号でない場合（ステップ１０２：ＮＯ）、通信制御部１３は、要求パラメータを保存することなく、一連のパラメータ保存処理を終了する。
【００２３】
したがって、記憶部１６では、相手ファクシミリ装置３０から送信されたＪＭ信号またはＤＩＳ／ＤＴＣ信号のうち、最後に受信したいずれか一方の受信信号で通知された、発呼側の受信要求または着信側の送信要求に関する要求パラメータが、記憶保持されることになる。この場合、記憶部１６に対して要求パラメータを上書き保存して、最後に保存した要求パラメータのみを記憶保持するようにしてもよい。また、保存順序に応じた保存エリアや保存変数名を設けて、保存順序がわかるように各要求パラメータを保存してもよい。
【００２４】
この後、通信制御部１３は、当該ファクシミリ装置１０で送信動作または受信動作のいずれを実行するかを決定する際、記憶部１６に最後に保存された要求パラメータに基づいて、実行する動作を決定する。
これにより、通信制御部１３は、動作の決定結果に基づいて、信号作成部１５により、（ＴＳＩ）ＤＣＳ信号、または（ＮＳＣ）（ＣＧＩ）ＤＴＣ信号を作成し、モデム１２で符号化した後、回線制御部１１から相手ファクシミリ装置３０へ送信することになる。
【００２５】
図３は、相手ファクシミリ装置とのファクシミリ通信で送受信する信号を示す説明図である。
ここでは、ファクシミリ装置１０が発呼端末であり、相手ファクシミリ装置３０が応答端末である場合が例として示されている。
【００２６】
図３に示すように、まず、ファクシミリ装置１０から通信網５０を介して相手ファクシミリ装置３０へ発呼し、相手ファクシミリ装置３０がこれに応答した場合、ファクシミリ装置１０からＣＮＧ信号が送信される。
ここで、相手ファクシミリ装置３０から、ＩＴＵ−Ｔ勧告Ｖ．８のＡＮＳａｍ信号が返送された場合、ファクシミリ装置１０は、同じくＩＴＵ−Ｔ勧告Ｖ．８のＣＭ信号を送信する。
【００２７】
これに応じて、相手ファクシミリ装置３０でＩＴＵ−Ｔ勧告Ｖ．８に準じた通信手順が開始されて、ＪＭ信号が送信される。ファクシミリ装置１０は、このＪＭ信号の受信に応じて、同じくＩＴＵ−Ｔ勧告Ｖ．８のＣＪ信号を返送する。
【００２８】
相手ファクシミリ装置３０は、このＣＪ信号の受信に応じてＩＴＵ−Ｔ勧告Ｖ．８に準じた通信手順を終了し、この通信手順でファクシミリ装置１０との間で確認した、最も適切な通信手順に基づき、通信を開始する。
このため、ファクシミリ装置１０との通信手順として、ＩＴＵ−Ｔ勧告Ｔ．３０の手順が選択された場合、相手ファクシミリ装置３０から、ファクシミリ装置１０へ（ＮＳＦ）（ＣＳＩ）ＤＩＳ信号が送信される。
【００２９】
したがって、図３の例では、ファクシミリ装置１０は、まずＪＭ信号の受信に応じて、当該ＪＭ信号に含まれる受信機ＦＡＸ操作のパラメータを、発呼側の受信要求または着信側の送信要求に関する要求パラメータとして記憶部１６へ保存する。その後、（ＮＳＦ）（ＣＳＩ）ＤＩＳ信号の受信に応じて、当該（ＮＳＦ）（ＣＳＩ）ＤＩＳ信号に含まれる受信機ＦＡＸ操作のパラメータを、発呼側の受信要求または着信側の送信要求に関する要求パラメータとして記憶部１６へ保存する。
【００３０】
これにより、ＪＭ信号で通知された要求パラメータに代えて、（ＮＳＦ）（ＣＳＩ）ＤＩＳ信号で通知された要求パラメータが、最後に受信した要求パラメータとなる。このため、ファクシミリ装置１０は、この後、（ＮＳＦ）（ＣＳＩ）ＤＩＳ信号で通知され要求パラメータに基づき、送信動作または受信動作のいずれを実行するかを決定する。
【００３１】
なお、ＪＭ信号の後、（ＮＳＦ）（ＣＳＩ）ＤＩＳ信号を受信しなかった場合、最初にＪＭ信号で通知された要求パラメータが、記憶部１６に最後に保存した要求パラメータとなる。このため、ファクシミリ装置１０は、この後、ＪＭ信号で通知された要求パラメータに基づき、送信動作または受信動作のいずれを実行するかを決定する。
【００３２】
［本実施の形態の効果］
このように、本実施の形態は、相手ファクシミリ装置３０からの受信信号が、ＩＴＵ−Ｔ勧告Ｖ．８のＪＭ信号またはＩＴＵ−Ｔ勧告Ｔ．３０のＤＩＳ／ＤＴＣ信号である場合、通信制御部１３が、これら信号に含まれる要求パラメータを記憶部１６へ保存し、この後、ファクシミリ装置１０で送信動作または受信動作のいずれを実行するかを決定する際には、記憶部１６に最後に保存された要求パラメータに基づいて決定するようにしたものである。
【００３３】
これにより、ＪＭ信号およびＤＩＳ／ＤＴＣ信号で通知された、２つの発呼側の受信要求または着信側の送信要求に関する要求パラメータが、一致していない場合でも、後から通知された要求パラメータに基づいて、当該ファクシミリ装置１０で送信動作または受信動作のいずれを実行するかが決定される。したがって、これら２つの要求パラメータの内容が矛盾することに起因して、発呼側のファクシミリ装置が、回線を切断して通信異常が発生したり、矛盾した要求により例外動作を行う、というような異常動作を回避することができ、安定した動作を実現することが可能となる。
【００３４】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００３５】
［付記］
以下、本発明の特徴を付記する。
【００３６】
（付記１）
通信網を介して接続した相手ファクシミリ装置から受信した受信信号について、当該受信信号の信号種別をそれぞれ解析する信号解析部と、
前記信号解析部で解析した前記受信信号の信号種別が、ＩＴＵ−Ｔ勧告Ｖ．８のＪＭ信号またはＩＴＵ−Ｔ勧告Ｔ．３０のＤＩＳ／ＤＴＣ信号である場合、当該受信信号に含まれる、発呼側の受信要求または着信側の送信要求に関する要求パラメータを記憶部へ保存し、自ファクシミリ装置で送信動作または受信動作のいずれを実行するかを決定する際には、当該記憶部に最後に保存された前記要求パラメータに基づいて決定する通信制御部と
を備えることを特徴とするファクシミリ装置。
【００３７】
（付記２）
付記１に記載のファクシミリ装置において、
前記通信制御部は、前記信号解析部で解析した前記受信信号の信号種別がＩＴＵ−Ｔ勧告Ｖ．８のＪＭ信号である場合、当該ＪＭ信号に含まれる起呼機能カテゴリのパラメータを前記要求パラメータとして前記記憶部に保存することを特徴とするファクシミリ装置。
【００３８】
（付記３）
付記１または付記２に記載のファクシミリ装置において、
前記通信制御部は、前記信号解析部で解析した前記受信信号の信号種別がＩＴＵ−Ｔ勧告Ｔ．３０のＤＩＳ／ＤＴＣ信号である場合、当該ＤＩＳ／ＤＴＣ信号に含まれる受信機ＦＡＸ操作のパラメータを前記要求パラメータとして前記記憶部へ保存することを特徴とするファクシミリ装置。
【００３９】
（付記４）
信号解析部が、通信網を介して接続した相手ファクシミリ装置から受信した受信信号について、当該受信信号の信号種別をそれぞれ解析する信号解析ステップと、
通信制御部が、前記信号解析部で解析した前記受信信号の信号種別が、ＩＴＵ−Ｔ勧告Ｖ．８のＪＭ信号またはＩＴＵ−Ｔ勧告Ｔ．３０のＤＩＳ／ＤＴＣ信号である場合、当該受信信号に含まれる、発呼側の受信要求または着信側の送信要求に関する要求パラメータを記憶部へ保存し、自ファクシミリ装置で送信動作または受信動作のいずれを実行するかを決定する際には、当該記憶部に最後に保存された前記要求パラメータに基づいて決定する通信制御ステップと
を備えることを特徴とする通信制御方法。
【符号の説明】
【００４０】
１０…ファクシミリ装置、１１…回線制御部、１２…モデム、１３…通信制御部、１４…信号解析部、１５…信号作成部、１６…記憶部、２０…交換機、２１…回線、３０…相手ファクシミリ装置、５０…通信網。
【図１】
0006052851.tif 000002
【図２】
0006052851.tif 000003
【図３】
0006052851.tif 000004